(57)【要約】    【課題】  水の磁気処理装置において磁石背面側への磁気洩れを最小に抑制して磁石前面側に磁気を集中させる。    【解決手段】  一対の磁石(20)の背面には断面逆凵字状の内側及び外側のバックヨーク(30,40)を配設する。内外の両バックヨークの長さは磁石の長さよりも長く、内側バックヨークの両脚部(30A)の間隔は磁石の横幅よりも大きく、外側バックヨークの両脚部(40A)の間隔は内側バークヨークの両脚部の間隔よりも大きく形成する。また、内側バックヨークの両脚部の高さは磁石の厚みの半分以下の寸法、外側バックヨークの両脚部の高さは磁石体の厚みの半分を超える寸法に形成し、一対の磁石の外側バックヨークの脚部の間には接続板(50)を配置し、対向する脚部を磁気的に接続して磁気閉回路を構成する。【選択図】  図４
2005185882.tif 000002
【特許請求の範囲】
【請求項１】
一対の磁石の間に形成される磁界の中に水を通過させることにより水を磁気処理する水処理装置において、
一対の磁石の背面には相互に同方向を向けて重ねた断面逆凵字状の内側及び外側のバックヨークが配設されており、
水の通過方向における上記内外の両バックヨークの長さは上記磁石の長さよりも長く、水の通過方向に対して垂直な方向における上記内側バックヨークの断面逆凵字状の両脚部分の間隔は上記磁石の横幅よりも大きく、上記外側バックヨークの断面逆凵字状の両脚部分の間隔は上記内側バークヨークの両脚部分の間隔よりも大きく形成されている一方、
上記内側バックヨークの両脚部分の高さは上記磁石の厚みの半分以下の寸法、上記外側バックヨークの両脚部分の高さは上記磁石体の厚みの半分を超える寸法に各々形成され、上記一対の磁石の外側バックヨークの脚部の間には対向する脚部を磁気的に接続して磁気閉回路を構成する強磁性体製の接続板が配置されていることを特徴とする水処理装置。
【請求項２】
上記外側バックヨークの背面に平板状のバックヨークが更に配設されている請求項１記載の水処理装置。
【請求項３】
水が通過する管の外側を挟み込み得る一対のケースを備え、該両ケースの背面凹部内には上記磁石及びバックヨークが嵌め込まれている一方、上記一対のケースの両側には相互に対向する部位に嵌込み溝が形成され、該嵌込み溝には上記接続板の両端部が嵌め込まれて上記外側バックヨークの脚部の間が磁気的に接続されるように構成されている請求項１記載の水処理装置。
【発明の詳細な説明】
【技術分野】
【０００１】
本発明は水処理装置に関し、特に磁石背面側への磁気洩れを最小に抑制して磁石前面側に磁気を集中させることができるようにした装置に関する。
【背景技術】
【０００２】
例えば、夏期には水系の汚染等に起因し、殺菌処理や濾過処理を厳重に行っても、水道水が不味いということがよくある。
【０００３】
そこで、活性炭や中空糸膜を用いて水を浄化するようにした濾過式の浄水機が市場に提供されているが、濾過式の浄水機はその管理を怠ると、浄水機内が雑菌で汚染されるおそれがある。
【０００４】
他方、磁石によって水を磁気処理する装置が開発され、市場に提供されるようになってきた（特許文献１、特許文献２、特許文献３、特許文献４、特許文献５、等参照）。例えば、簡易型の水処理装置には磁石を露出させたままの方式もあるが、多くは一対の樹脂製ケースに各々磁石を内蔵し、一対の樹脂製ケースで配管や蛇口管を挟んで取付け、配管や蛇口管の外側から磁石の磁力を作用させるという方式が採用されている。
【特許文献１】特開平０５−１１５８９８号公報
【特許文献２】特開平０７−１３２２８６号公報
【特許文献３】特開平０８−１５５４４２号公報
【特許文献４】特開平１０−２７７５４５号公報
【特許文献５】特開２０００−３４０８６７号公報
【０００５】
ところで、一対の磁石の異極を対向させた場合，そのＮ極とＳ極との間に磁力線が伸び、磁界が形成されるが、水の磁気処理効果を高める上で、一対の磁石の間に強い磁界を形成させることが重要である。
【０００６】
そこで、強磁性体製のバックヨークを磁石の背面側に設け、磁力線の方向を制御することが一般的に行われている。
【発明の開示】
【発明が解決しようとする課題】
【０００７】
しかし、従来の水処理装置では磁石背面側への磁気洩れはバックヨークを設けない場合に比してある程度少なくなるものの依然として大きく、この点で改良の余地があった。
【０００８】
本発明はかかる点に鑑み、磁石背面側への磁気洩れを最小限に抑制して磁石前面側に磁気を最大限集中させ、水を高い効率で磁気処理できるようにした水処理装置を提供することを課題とする。
【課題を解決するための手段】
【０００９】
そこで、本発明に係る水処理装置は、一対の磁石の間に形成される磁界の中に水を通過させることにより水を磁気処理する水処理装置において、一対の磁石の背面には相互に同方向を向けて重ねた断面逆凵字状の内側及び外側のバックヨークが配設されており、水の通過方向における上記内外の両バックヨークの長さは上記磁石の長さよりも長く、水の通過方向に対して垂直な方向における上記内側バックヨークの断面逆凵字状の両脚部分の間隔は上記磁石の横幅よりも大きく、上記外側バックヨークの断面逆凵字状の両脚部分の間隔は上記内側バークヨークの両脚部分の間隔よりも大きく形成されている一方、上記内側バックヨークの両脚部分の高さは上記磁石の厚みの半分以下の寸法、上記外側バックヨークの両脚部分の高さは上記磁石体の厚みの半分を超える寸法に各々形成され、上記一対の磁石の外側バックヨークの脚部の間には対向する脚部を磁気的に接続して磁気閉回路を構成する強磁性体製の接続板が配置されていることを特徴とする。
【００１０】
本発明の特徴の１つは脚部の長い外側バックヨークと脚部の短い内側バックヨークを重ねて磁石の背面に設けるとともに、接続板を設けて一対の磁石を囲む磁気閉回路を構成するようにした点にある。
【００１１】
これにより、磁石背面側には磁気閉回路を構成する強磁性板が二重に存在するので、磁石から背面側への磁気洩れは大幅に減少することとなる。
【００１２】
また、内側及び外側のバックヨークの脚部先端から磁石前面側に磁力線がのびるが、相互に交差することができないので、外側バックヨークからの磁力線は磁石から前方に離れたところまでのびる結果、磁石前面側に磁気を最大限集中させることができ、水を高い効率で磁気処理できることとなる。
【００１３】
磁石の材質及び製造方法は特に限定されず、例えばフェライト磁石、アルニコ磁石、ネオジウム磁石等を用いることができ、又焼結法や射出成形法によって製造することができる。また、磁石の形状はどのような形状でもよいが、製造コストを考慮すると、四角柱状が好ましい。
【００１４】
バックヨークの材質は強磁性体であればどのような材料でもよく、例えば鉄系材料や鋼系材料を用いることができる。
【００１５】
内側及び外側のバックヨークの長さ（水の通過する方向における長さ）は磁石の長さよりも長くする。これは磁気閉回路で磁石を囲み、磁気洩れを防止するためである。
【００１６】
内側及び外側のバックヨークの脚部の間には隙間をあけることが大切である。これにより内側及び外側の両バックヨークの脚部の先端から磁石の正面側に向けて磁力線がのびることとなるからである。
【００１７】
内側バックヨークの脚部の高さは磁石の厚みの半分以下、外側バックヨークの脚部の高さは磁石の厚みの半分を超える寸法に形成する。これにより、外側バックヨークの脚部からのびる磁力線が内側バックヨークの脚部からのびる磁力線によって磁石前方に大きく押し出され、磁気閉回路の作用と相まって磁石前面側に磁気を集中させることができるからである。
【００１８】
また、磁石背面側への磁気洩れを防止するために、外側バックヨークの背面に平板状のバックヨークを更に配設するようにしてもよい。
【００１９】
水処理装置を構成する場合、磁石、内外のバックヨーク及び接続板を保持するケースが必要である。そこで、水が通過する管の外側を挟み込み得る一対のケースを備え、両ケースの背面凹部内には磁石及びバックヨークを嵌め込む一方、一対のケースの両側には相互に対向する部位に嵌込み溝を形成し、嵌込み溝には接続板の両端部を嵌め込んで外側バックヨークの脚部の間を磁気的に接続するように構成するのがよい。
【００２０】
ケースの材質は磁石の磁気特性に影響をしない限り、特に限定されず、製造コストを考慮すると、合成樹脂材料を採用することができる。
【発明を実施するための最良の形態】
【００２１】
以下、本発明を図面に示す具体例に基づいて詳細に説明する。図１ないし図４は本発明に係る水処理装置の好ましい実施形態を示す。本例の水処理装置には一対の合成樹脂製のケース１０が含まれ、ケース１０の間に例えば水道管を挟み込んで水処理装置を水道管に取付けるようになっている。
【００２２】
このケース１０はおのおのほぼ直方体形状をなし、ケース１０の上面には平面四角形状の嵌込み凹部１１が形成されて磁石２０、内外のバックヨーク３０、４０が嵌め込んで取付けられている。
【００２３】
また、ケース１０の底面には滑らかな凹面が形成され、その両側には嵌込み溝１２が形成され、該嵌込み溝１２には接続板５０の端部が嵌め込まれ、これによって一対のケース１０が例えば水道管を挟み込んだ状態に保持されるようになっている。
【００２４】
内側及び外側のバックヨーク３０、４０、接続板５０は強磁性体を用いて断面逆凵字状に製作され、内側及び外側のバックヨーク３０、４０の長さＬｉ、Ｌｏは磁石２０の長さＬｍよりも長い寸法となっている。
【００２５】
また、内側バックヨーク３０の両脚部３０Ａの間の間隔は磁石２０の横幅よりも大きく、外側バックヨーク４０の両脚部４０Ａの間の間隔は内側バックヨーク３０の両脚部３０Ａの間の間隔は磁石２０の横幅よりも大きくなっている。
【００２６】
さらに、内側バックヨーク３０の両脚部３０Ａの高さＨｉは磁石２０の厚みＨｍの半分以下の寸法、外側バックヨーク４０の両脚部４０Ａの高さＨｏは磁石２０の厚みＨｍの半分を超える寸法になっている。
【００２７】
例えば、本例の水処理装置を配管や蛇口管Ｗに取付ける場合、一対のケース１０を相互に離し、その間に管Ｗを挟み、接続板５０の両端部をケース１０の嵌込み溝１２内に嵌め込み、一対のケース１０の間に管Ｗを挟持させればよい。
【００２８】
一対の磁石２０のＮ極とＳ極の間には磁力線がのびるが、外側バックヨーク４０の対向する脚部４０Ａの間は接続板５０によって磁気的に接続されて磁気閉回路が構成され、一対の磁石２０のＮ極とＳ極の間にのびる磁力線は磁気閉回路の外方にはのびることはできない。
【００２９】
しかも、磁石２０の背後にはバックヨーク３０、４０が二重に積層されているので、磁石２０の背面側への磁気洩れは少ない。
【００３０】
磁石２０の背面側の磁極には内側バックヨーク３０が磁着され、内側バックヨーク３０には外側バックヨーク４０が重ねられているので、磁石２０の背面側磁極の磁力線は内側及び外側のバックヨーク３０、４０の脚部３０Ａ、４０Ａの先端から生し、磁石２０の前面側の磁極に向けてのびることとなる。
【００３１】
すると、内側バックヨーク３０の脚部３０Ａの先端からのびる磁力線と外側バックヨーク４０の脚部４０Ａの先端からのびる磁力線とは相互に交差することができないので、外側バックヨーク４０の脚部４０Ａの先端からのびる磁力線は磁石２０の前方に大きく押し出された状態となり、磁気閉回路の作用と相まって磁石２０の前方には磁気を集中させることができ、水の磁気処理効果を飛躍的に向上できる。
【００３２】
図５の(a)に示される短い脚部のバックヨークを備えた構造、図５の(b)に示される長い脚部のバックヨークを備えた構造、図５の(c)に示される本例の構造、及び図５の(d)に示されるように、図５の(c)に示される構造に平板状のバックヨークを更に備えた構造について、バックヨーク背後の洩れ磁力及び管中心において磁力を測定した。磁石は２０ｍｍ×２４ｍｍ×１２ｍｍの大きさ、管は１６ｍｍ径の合成樹脂管とし、磁石と合成樹脂管だけのときに中心磁力を測定したところ３００×１０3μＴ（３０００Ｇ）を示すネオジウム磁石を用いた。
【００３３】
図５の(a)に示される構造では中心磁力が３３３×１０3μＴ（３３３０Ｇ）、ヨーク背面洩れ磁力が１２３×１０3μＴ（１２３０Ｇ）、図５の(b)に示される構造では中心磁力が３４５×１０3μＴ（３４５０Ｇ）、ヨーク背面洩れ磁力が１０８×１０3μＴ（１０８０Ｇ）、図５の(c)に示される構造では中心磁力が３５６×１０3μＴ（３５６０Ｇ）、ヨーク背面洩れ磁力が３７×１０3μＴ（３７０Ｇ）、図５の(d)に示される構造では中心磁力が３５９×１０3μＴ（３５９０Ｇ）、ヨーク背面洩れ磁力が３０×１０3μＴ（３００Ｇ）であり、本発明の構造（図５の(c)(d)) は磁気特性が大幅に改善されていることが確認された。
【図面の簡単な説明】
【００３４】
【図１】本発明に係る水処理装置の好ましい実施形態の概略構造を示す図である。
【図２】上記実施形態を示す分解斜視図である。
【図３】上記実施形態における磁石、バックヨーク及び接続板の組立て構造を示す図である。
【図４】上記実施形態の作用を説明するための図である。
【図５】本発明の効果を確認するための構造例を示す図である。
【符号の説明】
【００３５】
１０      ケース
２０      磁石
３０      内側バックヨーク
３０Ａ      脚部
４０      外側バックヨーク
４０Ａ      脚部
５０      接続板
【図１】
2005185882.tif 000003
【図２】
2005185882.tif 000004
【図３】
2005185882.tif 000005
【図４】
2005185882.tif 000006
【図５】
2005185882.tif 000007